(57)【要約】      （修正有）【課題】小型のスピーカーを電子装置の回路基板に取り付ける際、スピーカーのピンを別のパッドに取り付けてしまう、ピン間の接触不良、或いはピンとパッドとの接触不良等の取り付けミスを減らすことができるスピーカーを提供する。【解決手段】スピーカーは、電子装置の回路基板と組み合せる取付部１０及び取付部に設けられた２つの溶接点３０を備える。２つの溶接点は、取付部の何れか１つの対角線上に位置する２つの隅部に対称的に設けられる。２つの溶接点の間隔が大きくなり、スピーカーの各溶接点を回路基板の対応するパッドに容易に、且つ正確に固定することができる。【選択図】図１
0003188950.tif 000002
【実用新案登録請求の範囲】
【請求項１】
電子装置の回路基板と組み合せる取付部と、前記取付部に設けられた２つの溶接点とを備えるスピーカーであって、
前記２つの溶接点は、前記取付部の何れか１つの対角線上に位置する２つの隅部に対称的に設けられることを特徴とするスピーカー。
【請求項２】
前記スピーカーは、前記取付部の反対側に位置して、オーディオを放出するための音放出面をさらに備えることを特徴とする請求項１に記載のスピーカー。
【請求項３】
前記取付部は、周壁及び取付面を備え、前記周壁は、前記取付面の周縁部を取り囲むように突設されていることを特徴とする請求項１に記載のスピーカー。
【請求項４】
前記周壁には、少なくとも２つの収容凹溝が間隔をあけて設けられ、前記スピーカーは、少なくとも２つの金属弾性部材をさらに備え、
各金属弾性部材の一端は、前記収容凹溝内に収納され、各金属弾性部材の他端は、前記収容凹溝の内部から前記取付部の隅部まで延在し、前記金属弾性部材における前記隅部に位置する一部は、前記取付面から所定の高さまで突出して、前記溶接点を形成することを特徴とする請求項３に記載のスピーカー。
【請求項５】
前記溶接点は、前記取付部の隅部に設けられた針状ピンであり、前記針状ピンは、前記取付部から垂直に延伸してなり、且つ前記電子装置の回路基板のパッドの貫通孔を貫通するように前記回路基板に溶接されることを特徴とする請求項１に記載のスピーカー。
【考案の詳細な説明】
【技術分野】
【０００１】
本考案は、スピーカーに関し、特に携帯式電子装置に用いられるスピーカーに関するものである。
【背景技術】
【０００２】
現在、オーディオを再生するために、一般的には、携帯電話機等の携帯式電子装置に小型のスピーカーを設ける。従来のスピーカーは、円形、長方形或いは楕円形を呈し、そのピンは左右対称或いは上下対称に設けられている（即ち、スピーカーの複数のピンは、通常同一側に設けられている）。
【０００３】
一方、電子装置の内部に装着するスピーカーは体積が制限されるため、前記ピンを電子装置の回路基板の対応する複数のパッドに直接に溶接する際、ピンとピンとの間の距離を短くしなければならない。故に、該回路基板に設置されている複数のパッドとパッドとの距離も短くなる。従って、前記小型のスピーカーを電子装置の回路基板に取り付ける際、作業員のミスで、スピーカーのピンを別のパッドに取り付けてしまう、ピンとピンとの間の接触不良、或いはピンとパッドとの接触不良等が発生し易い。さらに、スピーカーを容易に回路基板に取り付けることができず、スピーカーの音声効果不良等を起こす恐れがある。
【考案の概要】
【考案が解決しようとする課題】
【０００４】
本考案は、上記の問題点を考慮してなされたものであり、取り付けミスを減らすことができるスピーカーを提供することを目的とする。
【課題を解決するための手段】
【０００５】
上記の目的を達成するために、本考案に係るスピーカーは、電子装置の回路基板と組み合せる取付部及び前記取付部に設けられた２つの溶接点を備える。前記２つの溶接点は、前記取付部の何れか１つの対角線上に位置する２つの隅部に対称的に設けられる。
【考案の効果】
【０００６】
従来の技術と異なり、本考案は、スピーカーの何れか１つの対角線上に位置する２つの隅部に溶接点をそれぞれ設けて、２つの溶接点の間隔を大きくする。これにより、スピーカーを電子装置の回路基板に装着する際、各溶接点は回路基板のパッドと良好に接触し、また、スピーカーの各溶接点を前記回路基板の対応するパッドに容易に、且つ正確に固定することができる。
【図面の簡単な説明】
【０００７】
【図１】本考案の実施形態に係るスピーカーの斜視図である。
【図２】図１に表わすスピーカーを反対側から見た図である。
【図３】図１に表わすスピーカーの平面図である。
【考案を実施するための形態】
【０００８】
本考案の実施形態に係るスピーカーは、携帯電話機及びタブレットパソコン等の携帯式電子装置に用いられ、オーディオ等を再生する。
【０００９】
図１及び図２に示すように、本考案のスピーカー１００は、ほぼ矩形であり、取付部１０と、音放出面２０と、少なくとも２つの溶接点３０と、を備える。
【００１０】
取付部１０は、周壁１２及び取付面１４を備える。取付面１４は、スピーカー１００の電子装置の回路基板に向かう表面であり、電子装置の回路基板は、この取付面１４に組み合わせて取り付けられる。周壁１２は、取付面１４の周縁部を取り囲むように突設される。互いに対向する２つの周壁１２には、複数の収容凹溝１４２がそれぞれ設けられている。本実施形態において、各周壁１２には、２つの収容凹溝１４２が間隔をあけて設けられている。即ち、本考案の取付部１０は、４つの収容凹溝１４２を備える。この４つの収容凹溝１４２は、取付部１０の略４隅にそれぞれ近接して設けられている。各収容凹溝１４２は、周壁１２の上端から音放出面２０に向かって凹んで形成され、各収容凹溝１４２の底部は、逆台形を呈する。
【００１１】
音放出面２０は、取付面１４の反対側に位置し、音声を拡大して放出する。即ち、スピーカー１００が電子装置の回路基板に装着された際、音放出面２０は前記回路基板から離れている。
【００１２】
図３に示すように、溶接点３０は、取付部１０の１つの対角線上に位置し、且つ互いに対称的に設けられて、電子装置の回路基板のパッドに溶接するために用いられる。スピーカー１００が前記回路基板に溶接される際、２つの溶接点３０間の間隔は比較的に大きいので、各溶接点３０は回路基板のパッドと確実に接触することができる。従って、溶接する時に距離の制限による溶接点３０の溶接接触不良或いは回路基板との接触不良を防止すると共に、溶接点３０を別のパッドに取り付けることに起因する製品不良等を防止することができる。
【００１３】
溶接点３０をスピーカー１００に装着する際、スピーカー１００を回転可能な治具にセットして、前記治具を１８０度回転させることにより、２つの溶接点３０を取付部１０の対角線上に位置する２つの隅に装着する。本実施形態において、溶接点３０は、金属弾性部材３２の一部からなる。金属弾性部材３２の一部は、周壁１２の長手方向に対して斜めに、且つ対称的な２つの収容凹溝１４２の中にそれぞれ収容される。より詳細には、金属弾性部材３２の一端は収容凹溝１４２内に収容され、金属弾性部材３２の他端は収容凹溝１４２の内部から取付部１０の隅部まで延在する。さらに、取付部１０の隅部に位置する金属弾性部材３２の一部は、取付面１４に対して所定の高さまで突出する。金属弾性部材３２の取付面１４から突出する部分は、溶接点３０として機能する。これにより、金属弾性部材３２を回路基板のパッドに溶接する際、金属弾性部材３２の突出している部位（つまり溶接点３０）を、前記パッドと確実に接触（溶接）することができ、金属弾性部材３２全体は、取付部１０を支持し、且つ取付部１０を前記回路基板から一定の距離離間させて、スピーカー１００の放熱を促進する。
【００１４】
また、変更例として、溶接点３０は、周壁１２の何れか１つの対角線上に位置する隅部の上面に設けられる溶接用パッドであっても良い。この場合、周壁１２が取付面１４から突出しているため、スピーカー１００の溶接用パッドが電子装置の回路基板のパッドに溶接される際、周壁１２は、取付面１４を支持して、取付面１４と回路基板との間に一定の距離を保たせる。これによりスピーカー１００の放熱を促進することができる。
【００１５】
また、変更例として、溶接点３０は、取付部１０の隅部に設けられる針状ピンであっても良い。前記針状ピンは、取付部１０から垂直に延伸してなる。また、前記針状ピンは、電子装置の回路基板のパッドの貫通孔を貫通するように前記回路基板に溶接される。これにより、スピーカー１００を、前記回路基板にさらに強固に装着することができる。
【００１６】
また、変更例として、スピーカー１００は楕円状に設計しても良い。
【００１７】
上記の実施形態から分かるように、本考案は、スピーカー１００の何れか１つの対角線上に位置する２つの隅部に溶接点３０をそれぞれ設けて、２つの溶接点３０の間隔を大きくする。これにより、スピーカー１００を電子装置の回路基板に装着する際、各溶接点３０は回路基板のパッドと良好に接触し、また、スピーカー１００の各溶接点３０を前記回路基板の対応するパッドに容易に、且つ正確に固定することができる。
【符号の説明】
【００１８】
１０      取付部
１２      周壁
１４      取付面
２０      音放出面
３０      溶接点
３２      金属弾性部材
１００    スピーカー
１４２    収容凹溝
【図１】
0003188950.tif 000003
【図２】
0003188950.tif 000004
【図３】
0003188950.tif 000005